(57)【要約】【課題】記録ユニットとして二つの記録ユニットを並列に持つインクジェット記録装置において、記録ユニットの紙面外にはみ出すサイズを記録部の外側から最も内側にあるノズル列までの距離よりも小さくすることができないため本体サイズの小型化が十分に実現できない課題がある。【解決手段】ＢＫノズルをそれぞれの記録装置の最も内側に配置し、紙端印字時はＣＭＹノズルのみを使用し、ＢＫノズルを使用しないことで記録ユニットの紙面外にはみ出すサイズを小さくし本体サイズの小型化を実現する。【選択図】図２
2020116784.tif 000002
【特許請求の範囲】
【請求項１】
記録媒体を一定の方向に搬送する搬送手段と、
記録媒体の搬送方向に対して垂直に移動しそれぞれ異なる記録媒体の領域の一部を印字領域とする複数の印字ヘッドと、
前記印字ヘッド内に複数のカラーノズルと前記カラーノズルより内側に配置されているＢＫノズルを持ち、
前記ＢＫノズルは前記記録媒体の印字領域より小さい範囲で移動を行い、
前記ＢＫノズルの移動領域外では前記カラーノズルのみを使用して印字を行うことを特徴とするインクジェット記録装置。
【請求項２】
印字モードとしてモノクロモードとカラーモードを持ち、
前記カラーモード時は前記カラーノズルのみを使用して印字を行い、
前記モノクロモード時は前記ＢＫノズルの移動領域内では前記ＢＫノズルのみを使用して印字を行い、
前記ＢＫノズルの移動領域外ではカラーノズルのみを使用して印字を行うことを特徴とする請求項１に記載のインクジェット記録装置。
【請求項３】
各画素に対して前記ＢＫノズルの移動領域内の画素であるか前記ＢＫノズルの移動領域外の画素であるかを判断する画素領域判断部と、
入力された画素データをインク色に変換するＬＵＴテーブルとして前記入力された画素をカラーノズル及びＢＫノズルに変換するテーブルであるＢＫノズル移動領域内用のＬＵＴテーブルと前記入力された画素をカラーノズルのみに変換するＢＫノズル移動領域外用のＬＵＴテーブルを持ち、
前記ＢＫノズル移動領域内用のＬＵＴテーブルと前記ＢＫノズル移動領域外用のＬＵＴテーブルを画素毎に切り替えて処理を行うインク色変換部を持ち、
前記インク色変換部は前記画素領域判断部による判断結果に従い前記ＢＫノズルの移動領域内の画素に対しては前記ＢＫノズルの移動領域内用のＬＵＴテーブルを用いてインク色変換を行い、前記ＢＫノズルの移動領域外の画素に対しては前記ＢＫノズルの移動領域外用のＬＵＴテーブルを用いてインク色変換を行うことを特徴とする請求項１または請求項２に記載のインクジェット記録装置。
【請求項４】
前記画素領域判断部において印字画像領域が前記ＢＫノズルの移動領域外の領域を含むか否かを確認し、前記ＢＫノズル移動領域外の領域を含まない場合には全ての画素を前記ＢＫノズルの移動領域内の画素であると判断することを特徴とする請求項３に記載のインクジェット記録装置。
【発明の詳細な説明】
【技術分野】
【０００１】
本発明は、搬送方向に対して垂直に移動する複数の記録ヘッドを持つインクジェット記録装置に関する。
【背景技術】
【０００２】
インクを吐出する複数の吐出口を配列した吐出口列を有する記録ユニットを記録媒体の単位領域に対して相対的に移動させながらインクの吐出を行う記録走査を繰り返し実行して画像を記録する記録装置が知られている。
【０００３】
このような記録装置では、記録媒体に対する記録時間の短縮が求められている。このような記録時間の短縮を達成するため、特許文献１には記録ユニットとして走査方向の左側と右側のそれぞれに複数色のインクを吐出する複数の吐出口列を備えた記録部を１つずつ設けた記録ユニットを用いることが記載されている。同文献では、上述のような記録ユニットを用い、記録媒体上の走査方向左側の領域には左側の記録部のみから、また、走査方向右側の領域には右側の記録部のみからインクを吐出する。これにより、記録ユニットを記録媒体上の左側端部と対向する位置から右側端部と対向する位置までの全域に走査させなくとも記録を完了することができるため、記録時間を短縮することが可能となる。
【０００４】
また、このような記録装置においては本体サイズの小型化が求められている。上述のような記録装置においてそれぞれの記録部の外側から最も内側にあるノズル列までの距離を小さくすることで印字領域に対する記録部のはみ出すサイズが小さくなり、本体サイズの小型化を実現することが出来る。
【先行技術文献】
【特許文献】
【０００５】
【特許文献１】特開平１０−４４５１９号公報
【発明の概要】
【発明が解決しようとする課題】
【０００６】
しかしながら、従来技術では記録部のはみ出すサイズを記録部の外側から最も内側にあるノズル列までの距離よりも小さくすることができないため本体サイズの小型化が十分に実現できない課題がある。
【課題を解決するための手段】
【０００７】
上記の課題を解決するために、本発明に係るインクジェット記録装置は、
記録媒体を一定の方向に搬送する搬送手段と、
記録媒体の搬送方向に対して垂直に移動しそれぞれ異なる記録媒体の領域の一部を印字領域とする複数の印字ヘッドと、
前記印字ヘッドとして複数のカラーヘッドと前記カラーヘッドより内側に配置されているＢＫヘッドと、
前記印字モードとしてモノクロモードとカラーモードと、
を持ち、
前記ＢＫヘッドは前記記録媒体の印字領域より小さい範囲で移動を行い、
カラーモード時はカラーヘッドのみを使用して印字を行い、
モノクロモード時はＢＫヘッドの移動領域内ではＢＫヘッドを使用して印字を行い、
ＢＫヘッドの移動領域外ではカラーヘッドを使用して印字を行うことを特徴とする。
【発明の効果】
【０００８】
本発明によれば、複数の記録部を持つインクジェット記録装置において、記録部の駆動領域を小さくし、本体サイズの小型化を実現できる。
【図面の簡単な説明】
【０００９】
【図１】実施例における記録装置の構成図である。
【図２】実施例における記録ユニットの構成図である。
【図３】従来例における記録ユニットの構成図である。
【図４】実施例における記録領域のイメージ図である。
【図５】従来例における記録領域のイメージ図である。
【図６】実施例における記録ヘッドの構成図である。
【図７】実施例における印字データ生成部のブロック図である。
【図８】実施例における記録領域のイメージ図である。
【図９】実施例における記録領域のイメージ図である。
【図１０】実施例における記録制御系の構成図である。
【図１１】実施例における位置情報作成処理のフローチャートである。
【図１２】実施例における後段処理ＬＵＴテーブルのイメージ図である。
【図１３】実施例における記録領域のイメージ図である。
【発明を実施するための形態】
【００１０】
以下、本発明を実施するための形態について、図面を参照しながら詳細に説明する。
【実施例１】
【００１１】
図１に、本発明における複数のヘッドを並列に持つ記録装置の例を示す。
【００１２】
記録装置１０１は記録ユニット１０２、レール１０５、外装１０６によって構成される。記録ユニット１０２は記録ヘッド１（１０３）、記録ヘッド２（１０４）の二つの記録ヘッドを持つ。記録ユニット１０２はレール１０５上を記録紙の搬送方向と垂直方向に移動し、記録ヘッド１（１０３）は記録紙１０７上の印字領域１（１０８）及び印字領域３（１１０）に、記録ヘッド２（１０４）は記録紙１０７上の印字領域２（１０９）及び印字領域３（１１０）に印字を行う。
【００１３】
図１０は、本実施形態における記録制御系の概略構成を示すブロック図である。
【００１４】
本実施形態における記録制御系は、図１に示した記録装置１０１と、そのホスト装置としてのパーソナルコンピュータ（以下、ＰＣと称する）９００と、から構成される。ＰＣ９００は、以下の要素を有して構成される。
【００１５】
ＣＰＵ９０１は、記憶手段であるＲＡＭ９０２やＨＤＤ９０３に保持されているプログラムに従った処理を実行する。ＲＡＭ３０２は、揮発性のメモリであり、プログラムやデータを一時的に保持する。ＨＤＤ９０３は、不揮発性のメモリであり、同じくプログラムやデータを保持する。本実施形態では、データ転送Ｉ／Ｆ（インターフェース）９０４は、記録装置１０１との間におけるデータの送受信を制御する。このデータ送受信の接続方式としては、ＵＳＢ、ＩＥＥＥ１３９４、ＬＡＮ等を用いることができる。キーボード・マウスＩ／Ｆ９０５は、キーボードやマウス等のＨＩＤ（Ｈｕｍａｎ  Ｉｎｔｅｒｆａｃｅ  Ｄｅｖｉｃｅ）を制御するＩ／Ｆであり、ユーザーは、このＩ／Ｆを介して入力を行うことができる。
【００１６】
ディスプレイＩ／Ｆ９０６は、ディスプレイ（不図示）における表示を制御する。一方、記録装置１０１は、以下の要素を有して構成される。ＣＰＵ９１１は、ＲＡＭ９１２やＲＯＭ９１３に保持されているプログラムに従い、後述する各処理を実行する。ＲＡＭ９１２は、揮発性のメモリであり、プログラムやデータを一時的に保持する。ＲＯＭ９１３は不揮発性のメモリであり、後述する処理で使用するテーブルデータやプログラムを保持することができる。データ転送Ｉ／Ｆ９１４は、ＰＣ９００との間におけるデータの送受信を制御する。画像処理制御部９１６はＰＣ９００より入力されＲＡＭ９１２に格納されている画像データを読み出し記録データに変換してＲＡＭ９１２に書き出す処理を行う。
【００１７】
左ヘッドコントローラ９１５Ｌと右ヘッドコントローラ９１５Ｒは、それぞれ図１に示した記録ヘッド１０３と記録ヘッド１０４に対して記録データを供給するとともに、それぞれの記録ヘッド１０３、１０４の吐出動作を制御（吐出制御）する。具体的には、左ヘッドコントローラ９１５Ｌは、ＲＡＭ９１２の所定のアドレスから制御パラメータと記録データを読み込む構成とすることができる。そして、ＣＰＵ９１１が、制御パラメータをＲＡＭ９１２の上記所定のアドレスに書き込むと、左ヘッドコントローラ９１５Ｌにより処理が起動され、記録ヘッド１０３からのインク吐出が行われる。右ヘッドコントローラ９１５Ｒについても同様であり、ＲＡＭ９１２の所定のアドレスにＣＰＵ９１１によって制御パラメータが書き込まれると、右ヘッドコントローラ９１５Ｒによる処理が実行され、記録ヘッド１０４からのインクの吐出が行われる。
【００１８】
図２に、本発明における記録ユニット１０２の構成を示す。
【００１９】
記録ユニット１０２内の記録ヘッド１（１０３）及び記録ヘッド２（１０４）はそれぞれＣ、Ｍ、Ｙ、ＢＫの４つのノズルを持っており、どちらの記録ヘッドもＢＫノズルが記録ユニット１０２に対して最も内側の位置に配置されている。
【００２０】
図４に、本発明におけるヘッドの稼働領域を示す。
【００２１】
記録紙１０７は記録装置１０１で印字することができる最大の幅を持つ紙である。記録ヘッド１（１０３）で印字する領域の中で端部からＢＫノズル２０４とＹノズル２０３の間の幅（図６内ｗ４）と同じ幅の領域を領域２（５０１）、記録ヘッド２（１０４）で印字する領域の中で端部からＢＫノズル２１４とＹノズル２１３の間の幅と同じ幅の領域を領域３（５０３）、領域２（５０１）と領域３（５０２）の間の領域を領域１（５０１）とする。
【００２２】
領域１（５０１）内ではＣ、Ｍ、Ｙ、ＢＫの４つのノズルを用いて印字をするが領域２ではＣノズル２０１、Ｍノズル２０２、Ｙノズル２０３の３つのノズル、領域３ではＣノズル２１１、Ｍノズル２１２、Ｙノズル２１３の３つのノズルで印字する。上記によりＢＫノズルは紙端まで移動する必要が無いため記録装置の幅をＢＫノズルが紙端まで移動するものと比較してＢＫノズル２０４とＹノズル２０３の間の幅とＢＫノズル２１４とＹノズル２１３の間の幅だけ小さくすることができる。
【００２３】
図８及び図９に記録紙の幅が記録紙１０７より小さい場合の処理を示す。図８では記録紙７０１が中央に配置されており、印字される領域は全て領域１（５０３）に含まれる。そのため記録紙７０１では全ての領域でＣ、Ｍ、Ｙ、Ｋの４つのノズルを用いて印字される。図９では記録紙８０１が左端に配置されており、印字される領域は領域１（５０１）及び領域２（５０２）を含んでいる。そのため記録紙８０１では。領域１（５０１）内ではＣ、Ｍ、Ｙ、ＢＫの４つのノズルを用いて印字をするが領域２ではＣノズル２０１、Ｍノズル２０２、Ｙノズル２０３の３つのノズルを用いて印字される。
【００２４】
また、印字モードとしてカラーモードとモノクロモードをもっており、カラーモード時は全ての領域に対してＣ、Ｍ、Ｙの３つのノズルを用いて印字を行い、モノクロモード時には領域１内ではＢＫノズルのみを用いて印字を行い、領域２または領域３内ではＣ、Ｍ、Ｙの３つのノズルを用いて印字を行ってもよい。
【００２５】
図３及び図５には従来の記録ユニット３０２の構成を示す。図７にＲＧＢ多値データを各ノズルの吐出データに変換する画像処理制御部９１６の構成を示す。
【００２６】
画像処理制御部９１６は各画素に対して紙面上の印字される位置の情報を付加する位置情報付加部６０１、ＲＧＢデータをＣＭＹＫデータに変換する後段処理部６０２、多値データを２値データに変換する量子化部６０３で構成される。位置情報付加部６０１では各画素に対して印字される位置が領域１（５０１）であるか、領域２（５０２）もしくは領域３（５０３）であるかを示す情報を付加する。
【００２７】
図１１に、位置情報付加部６０１における位置情報を付加するフローチャートを示す。
【００２８】
位置情報付加部６０１には画素データが１画素ずつ入力される。印字情報付加部は印字する画像の印字範囲が領域２（５０２）を含んでいるかどうかを判断する。印字する記録紙が小さく領域２（５０２）を含まない場合や、記録紙内の印字する領域が小さく領域２（５０２）を含まない場合には印字する画像の印字範囲が領域２（５０２）を含まないと判断する。印字範囲が領域２（５０２）を含んでいる場合は処理画素が領域２（５０２）に含まれている画素かどうかを判断する。
【００２９】
処理画素が領域２（５０２）に含まれている画素であれば画素データに端部を示す（領域２または領域３の画素であることを示す）位置情報を付加する。領域３（５０３）に対しても同様な判断を行い、処理画素が領域３（５０２）に含まれている画素であれば画素データに端部を示す位置情報を付加する。
【００３０】
後段処理部６０２はＲＧＢデータをＣＭＹＫデータに変換するＬＵＴテーブルを領域１（５０１）用のＬＵＴ  テーブル１と領域２（５０２）または領域３（５０３）用のＬＵＴテーブル２の２つ持っている。領域２（５０２）または領域３（５０３）用のＬＵＴテーブルでは入力するＲＧＢデータによらず、出力されるＣＭＹＫデータのＫ成分は常に０となる。ＬＵＴテーブル１の例を図１２（ａ）にＬＵＴテーブル２の例を図１２（ｂ）に示す。後段処理部６０２は位置情報付加部６０１によって付加された位置情報をもとに２つのＬＵＴテーブルを切り替えて処理を行う。
【実施例２】
【００３１】
図１３に、本実施例における構成図を示す。
【００３２】
本実施例の記録ユニット１２０２ではＣＭＹ印字用の記録ヘッド１２１３とＢＫ印字用の記録ヘッド１２２３が分離した構成を持っている。本実施例においては記録ユニット１２０２内で記録ヘッドＢＫ１２２３が記録ヘッドＣＭＹ１２１３に対して内側に配置されている。本実施例においては記録ヘッドＢＫ１２２３におけるＢＫノズル２０４と記録ヘッド１２１３におけるＹノズル２０３の間隔だけ記録装置の幅を小さくすることができる。
【符号の説明】
【００３３】
１０１  記録装置、１０２  記録ユニット、１０５  レール、１０６  外装
【図１】
2020116784.tif 000003
【図２】
2020116784.tif 000004
【図３】
2020116784.tif 000005
【図４】
2020116784.tif 000006
【図５】
2020116784.tif 000007
【図６】
2020116784.tif 000008
【図７】
2020116784.tif 000009
【図８】
2020116784.tif 000010
【図９】
2020116784.tif 000011
【図１０】
2020116784.tif 000012
【図１１】
2020116784.tif 000013
【図１２】
2020116784.tif 000014
【図１３】
2020116784.tif 000015